(57)【特許請求の範囲】
【請求項１】
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトを有し、前記ホルダに格納された前記ロール紙を回転可能に支持する進行側支持ローラと、
シャフトを有し、前記ホルダに格納された前記ロール紙を回転可能に支持する反対側支持ローラと、を備え、
前記進行側支持ローラ及び前記反対側支持ローラは、前記落込部の入口を挟むように、前記進行側支持ローラが前記入口の前記ロール紙の回転進行方向側に、前記反対側支持ローラが前記入口の前記回転進行方向の反対方向側に配置されており、
前記進行側支持ローラ及び前記反対側支持ローラはいずれもそのシャフトの軸方向の幅が前記ロール紙の用紙幅より短い短幅ローラであり、
前記進行側支持ローラは軸方向の一方に寄っており、
前記反対側支持ローラは前記進行側支持ローラが寄った側とは反対側に寄っており、
前記短幅ローラの軸方向の延長部にあるシャフト非配置部分に前記ロール紙を取り出し可能な空隙が設けられている、
プリンタ。
【請求項２】
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトを有し、前記ホルダに格納された前記ロール紙を回転可能に支持する進行側支持ローラと、
シャフトを有し、前記ホルダに格納された前記ロール紙を回転可能に支持する反対側支持ローラと、を備え、
前記進行側支持ローラ及び前記反対側支持ローラは、前記落込部の入口を挟むように、前記進行側支持ローラが前記入口の前記ロール紙の回転進行方向側に、前記反対側支持ローラが前記入口の前記回転進行方向の反対方向側に配置されており、
前記進行側支持ローラは、前記シャフトの軸方向の幅が前記ロール紙の用紙幅と同じ或いは前記用紙幅より長い長幅ローラであり、
前記反対側支持ローラは、前記シャフトの軸方向の幅が前記ロール紙の用紙幅より短い短幅ローラであり、
前記短幅ローラの軸方向の一方の延長部および他方の延長部の双方に前記ロール紙を取り出し可能な空隙が設けられている、
プリンタ。
【請求項３】
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトを有し、前記ホルダに格納された前記ロール紙を回転可能に支持する進行側支持ローラと、
シャフトを有し、前記ホルダに格納された前記ロール紙を回転可能に支持する反対側支持ローラと、を備え、
前記進行側支持ローラ及び前記反対側支持ローラは、前記落込部の入口を挟むように、前記進行側支持ローラが前記入口の前記ロール紙の回転進行方向側に、前記反対側支持ローラが前記入口の前記回転進行方向の反対方向側に配置されており、
前記反対側支持ローラは、前記シャフトの軸方向の幅が前記ロール紙の用紙幅と同じ或いは前記用紙幅より長い長幅ローラであり、
前記進行側支持ローラは、前記シャフトの軸方向の幅が前記ロール紙の用紙幅より短い短幅ローラであり、
前記短幅ローラの軸方向の一方の延長部および他方の延長部の双方に前記ロール紙を取り出し可能な空隙が設けられている、
プリンタ。
【請求項４】
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトをそれぞれ有し、前記ホルダに格納された前記ロール紙を回転可能に支持する複数の支持ローラと、を備え、
前記複数の支持ローラは、前記落込部の入口を挟むように、少なくとも１つの支持ローラが前記入口の前記ロール紙の回転進行方向側に、他の少なくとも１つの支持ローラが前記入口の前記回転進行方向の反対方向側に配置されており、
前記複数の支持ローラの少なくとも１つは、そのシャフトの軸方向の幅が前記ロール紙の用紙幅より短い短幅ローラであり、
前記短幅ローラの軸方向にある前記ホルダの内壁と前記短幅ローラとの間に前記ロール紙を取り出し可能な空隙が設けられている、
プリンタ。
【発明の詳細な説明】
【技術分野】
【０００１】
本発明の実施形態は、プリンタに関する。
【背景技術】
【０００２】
商品情報処理装置（例えば、ＰＯＳ端末）は、通常、レシートを発行するためのプリンタを備える。一般的に、商品情報処理装置に搭載されるプリンタは、ロール紙から取り出した用紙に取引明細等の情報を印刷する。そのため、多くのプリンタは、ロール紙を格納するためのホルダを備える。
【０００３】
ロール紙は使用により径が徐々に小さくなる。プリンタは、ロール紙の交換時期が来たことをユーザに知らせるため、ホルダの底部に落込部を備えることがある。落込部は、ロール紙の径が小さくなった場合に、ロール紙が落下して嵌まり込む部分である。落込部にはロール紙を検知するためのセンサーが設置される。プリンタは、センサーがロール紙を検知したら、ロール紙が交換時期であることをユーザに知らせる。
【先行技術文献】
【特許文献】
【０００４】
【特許文献１】特開２００３−２５２５０４号公報
【発明の概要】
【発明が解決しようとする課題】
【０００５】
ロール紙の用紙残量ロスを少なくするためには、ロール紙が用紙残量の多いうちに落込部に嵌まり込まないように、落込部の径方向の幅をできうる限り小さくすることが望ましい。また、ロール紙が誤ってセンサーに検知されないように、落込部を深いものとすることが望ましい。しかしながら、この場合、ロール紙が落込部に深くしっかりと嵌まり込むことになるので、ロール紙の交換の際、ユーザが落込部からロール紙を取り出すのが困難になる。
【０００６】
本発明が解決しようとする課題は、落込部に嵌まり込んだロール紙をユーザが容易に取り出せるようにすることである。
【課題を解決するための手段】
【０００７】
実施形態のプリンタは、ロール紙から取り出された用紙に印刷を行うプリンタである。実施形態のプリンタは、ロール紙を格納するホルダと、ホルダの底部に位置し、ホルダに格納されたロール紙が予め設定された径より小さくなった場合に、該ロール紙が落下して嵌まり込む落込部と、シャフトをそれぞれ有し、ホルダに格納されたロール紙を回転可能に支持する複数の支持ローラと、を備える。複数の支持ローラは、落込部の入口を挟むように、少なくとも１つの支持ローラが前記入口のロール紙の回転進行方向側に、他の少なくとも１つの支持ローラが前記入口の回転進行方向の反対方向側に配置されている。進行側支持ローラ及び反対側支持ローラはいずれもいずれもそのシャフトの軸方向の幅がロール紙の用紙幅より短い短幅ローラであり、進行側支持ローラは軸方向の一方に寄っており、反対側支持ローラは進行側支持ローラが寄った側とは反対側に寄っており、短幅ローラの軸方向の延長部にあるシャフト非配置部分にロール紙を取り出し可能な空隙が設けられている。
【図面の簡単な説明】
【０００８】
【図１】本実施形態１のプリンタを備える商品情報処理装置の斜視図である。
【図２】本実施形態１のプリンタの斜視図である。
【図３】実施形態１のプリンタのブロック図である。
【図４】実施形態１のプリンタの内部構造を示す図である。
【図５】ホルダを斜め上方向から見た図である。
【図６】実施形態１のプリンタが備える支持ローラをプリンタから取り出したものである。
【図７】小径ロールが落込部に嵌まり込んだ様子を示す図である。
【図８】ユーザが空隙に指を挿入して落込部から小径ロールを取り出している様子を示す図である。
【図９】実施形態２の支持ローラを示す図である。
【図１０】実施形態３の支持ローラを示す図である。
【図１１】実施形態４の支持ローラを示す図である。
【図１２】実施形態５の支持ローラを示す図である。
【図１３】実施形態６の支持ローラを示す図である。
【図１４】実施形態７の支持ローラを示す図である。
【図１５】実施形態８支持ローラを示す図である。
【図１６】実施形態９の支持ローラを示す図である。
【図１７】実施形態１０の支持ローラを示す図である。
【発明を実施するための形態】
【０００９】
以下、発明を実施するための形態について図面を参照しながら説明する。なお、図中、同一または同等の部分には同一の符号を付す。
【００１０】
（実施形態１）
図１は、実施形態１のプリンタ１００を備える商品情報処理装置１の斜視図である。商品情報処理装置１は、例えば、ＰＯＳ（Point of sales）端末である。商品情報処理装置１は、各ストアに設置され、オペレータによって操作される。商品情報処理装置１はネットワークを介して不図示のストアサーバ（ＰＯＳサーバ）と接続されている。
【００１１】
プリンタ１００は商品情報処理装置１に固定或いは内蔵されている。プリンタ１００は、商品情報処理装置１の正面から見て、商品情報処理装置１の中央より左側に配置されている。勿論、プリンタ１００は、商品情報処理装置１の正面から見て、商品情報処理装置１の中央より右側に配置されていてもよい。正面とは、オペレータ等のユーザが位置する側、すなわち、図１の白抜き矢印で示される側のことである。
【００１２】
図２は、商品情報処理装置１からプリンタ１００を取り出したものである。プリンタ１００は、レシートを発行するためのレシートプリンタである。プリンタ１００は、ロール紙ＰＲを着脱可能に構成されている。ロール紙ＰＲは、用紙Ｓが巻き回されたロール状の印字媒体である。ロール紙ＰＲから取り出される用紙Ｓの幅は、ロール紙ＰＲの軸方向の幅と等しい。以下の説明では、用紙Ｓの幅、すなわち、ロール紙ＰＲの軸方向の幅のことを用紙幅Ｗという。プリンタ１００は、装着されたロール紙ＰＲから用紙Ｓを取り出し、取引明細等の情報を印刷する。
【００１３】
プリンタ１００は、レシートを排出する排出口２１と、ロール紙交換のための出入口に配置された蓋２２と、を備える。プリンタ１００は、ロール紙ＰＲから取り出された用紙Ｓに情報を印刷し、排出口２１から排出する。ロール紙ＰＲに用紙Ｓがなくなったら、オペレータは、蓋２２を開けてロール紙ＰＲを交換する。
【００１４】
なお、図１、図２に示す外観はあくまで一例であり、様々な変形が可能である。以下の説明では、プリンタ１００の前側（例えば、オペレータ等のユーザが位置する側）を「装置前側」、その反対を「装置後側」という。図２の例であれば、装置前側は白抜き矢印の方向であり、装置後側はその反対の方向である。プリンタ１００は、装置前側が商品情報処理装置１の正面、装置後側が商品情報処理装置１の背面となるように、商品情報処理装置１に固定されている。
【００１５】
図３は、プリンタ１００のブロック図である。また、図４は、プリンタ１００の内部構造を示す図である。プリンタ１００は、図３に示すように、制御部１１と、通信インタフェース１２と、搬送部１３と、印刷部１４と、カット部１５と、検出部１６と、を備える。
【００１６】
制御部１１は、プロセッサ等の処理装置である。制御部１１は不図示のＲＯＭ（Read Only Memory）やＲＡＭ（Random Access Memory）に格納されているプログラムに従って動作することで、プリンタ１００の各部を制御する。
【００１７】
通信インタフェース１２は、商品情報処理装置１の制御装置（例えば、プロセッサ）と通信する通信インタフェースである。通信インタフェース１２は、商品情報処理装置１から各種データを取得する。通信インタフェース１２が商品情報処理装置１から取得するデータには、印刷部１４がレシートに印刷する情報（例えば、取引明細）が含まれる。
【００１８】
搬送部１３は、ロール紙ＰＲから取り出された用紙Ｓを印刷部１４に向けて搬送するための装置（或いは機構）である。搬送部１３は、印刷部１４のプラテンローラ１４２の回転により用紙Ｓが搬送され、ロール紙ＰＲから用紙Ｓを引き出す構成であってもよい。
【００１９】
印刷部１４は、用紙Ｓに取引明細等の各種情報を印字するための印刷装置である。印刷部１４は、サーマル方式のプリントユニットである。印刷部１４は、図４に示すように、サーマルヘッド１４１と、プラテンローラ１４２と、を備える。印刷部１４は、制御部１１の制御に従って取引明細等の情報を用紙Ｓに印字する。
【００２０】
カット部１５は、用紙Ｓからレシートとなる部分を切り離すためのカッターである。カット部１５は、例えば、用紙Ｓの長手方向に対して垂直な方向に動くローラーカッターである。勿論、カット部１５の構成はこれに限定されるものではなく、様々な変形が可能である。
【００２１】
プリンタ１００は、図４に示すように、ロール紙ＰＲを格納するホルダ１７を備えている。ホルダ１７は、ロール紙ＰＲの芯が固定されないクラムシェル型のホルダである。ホルダ１７の幅は、ロール紙ＰＲが容易に格納できるように、ロール紙ＰＲの用紙幅Ｗより若干大きい。ロール紙ＰＲは、用紙Ｓが取り出されるのに伴い、ホルダ１７の中で回転する。
【００２２】
なお、以下の説明では、回転によりロール紙ＰＲが進行しようとする方向のことを回転進行方向という。また、回転進行方向の反対の方向のことを単に反対方向という。図４の例であれば、ロール紙ＰＲは、用紙Ｓが取り出されるのに伴い図面時計回りに回転するので、回転進行方向はＤ１の方向である。また、反対方向はＤ２の方向である。なお、ロール紙ＰＲが図面反時計回りに回転するのであれば、回転進行方向はＤ２、反対方向はＤ１となるので注意を要する。本実施形態では、回転進行方向Ｄ１は装置後側（商品情報処理装置１の背面側）と一致しており、反対方向Ｄ２は装置前側（商品情報処理装置１の正面側）と一致している。しかしながら、回転進行方向Ｄ１は装置前側（商品情報処理装置１の正面側）、反対方向Ｄ２は装置後側（商品情報処理装置１の背面側）となっていてもよい。
【００２３】
ホルダ１７の底部には落込部１８が配置されている。落込部１８は、ロール紙ＰＲが予め設定された径より小さくなった場合に、落下して嵌まり込むための凹部である。以下の説明では、落込部１８に嵌まり込むまで小さくなったロール紙ＰＲのことを小径ロールＰＲｓという。
【００２４】
落込部１８には、検出部１６が配置されている。検出部１６は、小径ロールＰＲｓを検出するためのセンサーである。検出部１６は、例えば、小径ロールＰＲｓの重さでＯＮするボタンスイッチである。検出部１６は、予め設定された距離内に小径ロールＰＲｓがあるか否かを検出する光センサーであってもよい。例えば、検出部１６は、落込部１８の側面に設けられた反射式センサーであってもよい。また、検出部１６は、アクチュエータ＋フォトセンサ、ＬＥＤ（Light Emitting Diode）＋ダイオード等、他の方式であってもよい。検出部１６は、落込部１８に嵌まり込んだロール紙ＰＲを検出する検出手段として機能する。検出部１６は、ロール紙ＰＲを検出すると、制御部１１にロール紙ＰＲを検出したことを通知する。
【００２５】
ホルダ１７には、落込部１８の入口１８ａを挟むように、１対の支持ローラ１９１、１９２が配置されている。支持ローラ１９１は、入口１８ａの回転進行方向Ｄ１側に配置されており、支持ローラ１９２は入口１８ａの反対方向Ｄ２側に配置されている。支持ローラ１９１、１９２は、ホルダ１７の底部で、ロール紙ＰＲを回転可能に支持する。
【００２６】
なお、以下の説明では、落込部の入口の回転進行方向側に配置された支持ローラのことを進行側支持ローラ、反対方向側に配置された支持ローラのことを反対側支持ローラという。本実施形態の場合、支持ローラ１９１が進行側支持ローラであり、支持ローラ１９２が反対側支持ローラである。図５は、ホルダ１７を斜め上方向から見た図である。図５には、支持ローラ１９１、１９２がホルダ１７に配置された様子が示されている。支持ローラ１９１、１９２は細長のローラである。支持ローラ１９１、１９２は、その軸方向がロール紙ＰＲの軸方向と平行となるよう、ホルダ１７に固定されている。
【００２７】
図６は、支持ローラ１９１と支持ローラ１９２の位置関係はそのままに、支持ローラ１９１、１９２のみをプリンタ１００から取り出したものである。
【００２８】
支持ローラ１９１は、シャフト１９１ａと、シャフト１９１ａに配置された３つのローラ部１９１ｂ、１９１ｃ、１９１ｄと、を備える。支持ローラ１９１は、長幅ローラである。長幅ローラとは、シャフトの軸方向の幅がロール紙の用紙幅と同じ或いは用紙幅より長いローラのことである。本実施形態の場合、シャフト１９１ａの軸方向の幅Ｌ１はロール紙ＰＲの用紙幅Ｗより長くなっている。勿論、シャフト１９１ａの幅Ｌ１は用紙幅Ｗと同じであってもよい。なお、２つの幅に若干の差（例えば、プラスマイナス１０％の差）があっても、それらは同じ幅とみなすことができる。すなわち、シャフト１９１ａの幅Ｌ１がロール紙ＰＲの用紙幅Ｗの９０％〜１１０％の範囲内であれば、シャフト１９１ａの幅Ｌ１とロール紙ＰＲの用紙幅Ｗは同じである。
【００２９】
支持ローラ１９２は、シャフト１９２ａと、シャフト１９２ａに配置された２つのローラ部１９２ｂ、１９２ｃと、を備える。支持ローラ１９２は、短幅ローラである。短幅ローラとは、シャフトの軸方向の幅がロール紙の用紙幅より短いローラのことである。本実施形態の場合、シャフト１９２ａの軸方向の幅Ｌ２はロール紙ＰＲの用紙幅Ｗより短くなっている。支持ローラ１９２は、装置前側から見て右寄り（図のＤ３側）に固定されている。
【００３０】
支持ローラ１９２のローラ部１９２ｂ、１９２ｃの径は、支持ローラ１９１のローラ部１９１ｂ、１９１ｃ、１９１ｄの径と同じとなっている。しかしながら、これらの径は異なっていてもよい。例えば、ローラ部１９２ｂ、１９２ｃの径は、支持ローラ１９１のローラ部１９１ｂ、１９１ｃ、１９１ｄの径より小さくてもよい。支持ローラ１９１と支持ローラ１９２の間隔、すなわち、ロール紙ＰＲの軸方向から見た、支持ローラ１９１のローラ部の外周から支持ローラ１９２のローラ部の外周までの距離は、装置設計者が検出させたい小径ロールＰＲｓの径と同じとなっている。
【００３１】
なお、図に示した支持ローラ１９１、１９２はあくまで一例である。支持ローラ１９１、１９２の構成は、様々に変形可能である。例えば、支持ローラ１９１、１９２に配置されるローラ部は、図に示した数（３或いは２）より多くてもよいし、少なくてもよい。また、ローラ部の構成も任意に変更可能である。例えば、ローラ部は、図６に示すような円盤状の部材を複数重ねたものではなく、単純に１つの円柱形の部材であってもよい。１つの支持ローラに１つローラ部が配置されていてもよい。そして、ローラ部の軸方向の幅はシャフトの幅より若干小さな幅（例えば、１０〜３０％程度小さな幅）であってもよい。
【００３２】
上述したように、支持ローラ１９２は短幅ローラである。そのため、支持ローラ１９２の軸方向の延長部にはシャフト１９２ａが配置されない部分が形成される。以下の説明では、ロール紙のホルダ内部で、短幅ローラの軸方向の延長部に形成される、シャフトが配置されていない部分のことをシャフト非配置部分という。本実施形態の支持ローラ１９２は、図６に示すように、装置前側から見て右寄りに配置されている。そのため、シャフト非配置部分は、支持ローラ１９２の左側に形成される。図６の例であれば、支持ローラ１９２のＤ４側にシャフト非配置部分が形成される。
【００３３】
シャフト非配置部分は、人の指が挿入可能な空隙２０となっている。この空隙２０は、例えば、縦方向（Ｄ１、Ｄ２方向）横方向（Ｄ３、Ｄ４方向）の幅がそれぞれ１．５ｃｍ〜３ｃｍの四角形の領域である。もちろん、空隙２０の大きさはこの例に限定されるものではない。空隙２０は１．５ｃｍ〜３ｃｍより大きくてもよいし、小さくてもよい。空隙２０がホルダ１７内に形成されることにより、ユーザは指で小径ロールＰＲｓの周面に容易にアクセスすることが可能になる。
【００３４】
次に、このような構成を有するプリンタ１００の動作について説明する。
【００３５】
プリンタ１００の制御部１１は、商品情報処理装置１からの印刷命令に基づき印刷を開始する。制御部１１は、搬送部１３を制御してロール紙ＰＲから用紙Ｓを取り出すとともに、印刷部１４を制御して用紙Ｓに情報を印刷する。制御部１１は、用紙Ｓから情報が印刷された部分を切り離し、レシートとして排出口２１から排出する。
【００３６】
印刷の繰り返しによりロール紙ＰＲの径は小さくなる。最終的に、ロール紙ＰＲは小径ロールＰＲｓの大きさまで小さくなる。ホルダ１７はロール紙ＰＲの芯が固定されないクラムシェル型のホルダである。そのため、ロール紙ＰＲは小径ロールＰＲｓの大きさまで小さくなると、ホルダ１７の底部にある落込部１８に落下して嵌まり込む。図７は、小径ロールＰＲｓが落込部１８に嵌まり込んだ様子を示す図である。
【００３７】
小径ロールＰＲｓが落込部１８に嵌まり込むと、検出部１６が小径ロールＰＲｓを検出する。そうすると、検出部１６は制御部１１に対して小径ロールＰＲｓが検出されたことを通知する。検出部１６の通知を受け、制御部１１は、ロール紙ＰＲが交換時期であることをオペレータに通知する。例えば、制御部１１は、商品情報処理装置１の制御装置を介し、商品情報処理装置１の出力装置（例えば、ディスプレイ、スピーカー、或いは発光装置）に、ロール紙ＰＲの交換時期が来たことを出力する。プリンタ１００がディスプレイ、スピーカー、発光装置等の出力装置を備えるのであれば、制御部１１はプリンタ１００の出力装置にロール紙ＰＲの交換時期が来たことを出力してもよい。
【００３８】
ロール紙ＰＲの交換時期が来ると、オペレータはロール紙ＰＲ（小径ロールＰＲｓ）の交換を行う。図８は、オペレータが落込部１８から小径ロールＰＲｓを取り出している様子を示す図である。上述したように、落込部１８のＤ２側には人の指を挿入可能な空隙２０が形成されている。オペレータは、図８に示すように、空隙２０に指を挿入して落込部１８から小径ロールＰＲｓを取り出す。
【００３９】
本実施形態によれば、ホルダ１７の底部に配置された支持ローラの一方（支持ローラ１９２）が短幅ローラになっている。そして、短幅ローラの軸方向の延長部にあるシャフト非配置部分は、人の指が挿入可能な空隙２０となっている。したがって、オペレータ等のユーザは落込部１８に嵌まり込んだロール紙ＰＲ（小径ロールＰＲｓ）を指で容易に取り出すことができる。
【００４０】
また、進行側支持ローラ（本実施形態の場合、支持ローラ１９１）は長幅ロールとなっている。プリンタ１００がロール紙ＰＲから用紙Ｓを取り出す際に、ロール紙ＰＲは回転進行方向Ｄ１に進もうとする。回転進行方向Ｄ１側の支持ローラ１９１は長幅ロールであるので、ホルダ１７内でのロール紙ＰＲの回転が安定する。
【００４１】
また、本実施形態のプリンタ１００は、短幅ローラである支持ローラ１９２が装置前側に配置されており、その短幅ローラは右側（Ｄ３側）に寄っている。そのため、右手で小径ロールＰＲｓを掴むときには、ちょうど親指の位置に空隙２０が位置することになる。よって、右手で小径ロールＰＲｓを掴むユーザは落込部１８から容易に小径ロールＰＲｓを取り出せる。
【００４２】
特に、プリンタ１００が、商品情報処理装置１の正面から見て商品情報処理装置１の中央より右側に配置されているときは、多くのオペレータは、右利き左利きに関わらず、右手で小径ロールＰＲを取り出すことになる。よって、プリンタ１００が商品情報処理装置１の右側に配置されている場合、短幅ローラを右側（Ｄ３側）に寄せることによって、オペレータは容易に小径ロールＰＲｓを落込部１８から取り出せる。
【００４３】
（実施形態２）
実施形態１では、短幅ローラ（支持ローラ１９２）は、装置前側（プリンタ１００の正面）から見て右寄りに配置されていた。しかしながら、短幅ローラは、装置前側から見て左寄り（Ｄ４側）に配置されていてもよい。図９は、実施形態２の支持ローラ１９１Ａ、１９２Ａを示す図である。
【００４４】
支持ローラ１９１Ａは、シャフト１９１ａと、ローラ部１９１ｂ、１９１ｃ、１９１ｄと、を備える長幅ローラである。支持ローラ１９２Ａは、シャフト１９２ａと、ローラ部１９２ｂ、１９２ｃと、を備える短幅ローラである。支持ローラ１９１Ａが進行側支持ローラであり、支持ローラ１９２Ａが反対側支持ローラである。
【００４５】
支持ローラ１９２Ａは、装置前側に配置されており、さらに、装置前側から見て左寄り（Ｄ４側）に配置されている。そのため、支持ローラ１９２Ａの右側（Ｄ３側）に形成されるシャフト非配置部分が空隙２０Ａとなっている。空隙２０Ａには人の指が挿入可能である。空隙２０Ａの大きさは図６の空隙２０と同じであってもよい。
【００４６】
このように構成することにより、ユーザが左手で小径ロールＰＲｓを掴むときには、ちょうど親指の位置に空隙２０Ａが位置することになる。よって、左手で小径ロールＰＲｓを掴むユーザは、容易に落込部１８から小径ロールＰＲｓを取り出せる。
【００４７】
特に、プリンタ１００が、図１に示すように、商品情報処理装置１の正面から見て、商品情報処理装置１の左側に配置されているときは、多くのオペレータは、右利き左利きに関わらず、左手で小径ロールＰＲを取り出すことになる。よって、プリンタ１００が商品情報処理装置１の左側に配置されている場合には、短幅ローラが右側（Ｄ３側）に寄っていることによって、ユーザは容易に落込部１８から小径ロールＰＲｓを取り出せるようになる。
【００４８】
（実施形態３）
実施形態１では、進行側支持ローラ（図６の例の場合、支持ローラ１９１）は長幅ローラであり、反対側支持ローラ（図６の場合、支持ローラ１９２）は短幅ローラであるものとした。しかしながら、進行側支持ローラが短幅ローラで、反対側支持ローラが長幅ローラであってもよい。図１０は、実施形態３の支持ローラ１９１Ｂ、１９２Ｂを示す図である。
【００４９】
支持ローラ１９１Ｂは、シャフト１９１ａ１と、ローラ部１９１ｂ、１９１ｃと、を備える短幅ローラである。支持ローラ１９２Ｂは、シャフト１９２ａ１と、ローラ部１９２ｂ、１９２ｃ、１９２ｄと、を備える長幅ローラである。支持ローラ１９１Ｂが進行側支持ローラであり、支持ローラ１９２Ｂが反対側支持ローラである。
【００５０】
支持ローラ１９２Ｂは、装置前側から見て右寄り（Ｄ３側）に配置されている。そのため、支持ローラ１９２Ｂの左側（Ｄ４側）に形成されるシャフト非配置部分は空隙２０Ｂとなっている。空隙２０Ｂには人の指が挿入可能である。空隙２０Ｂの大きさは図６の空隙２０と同じであってもよい。
【００５１】
本実施形態によれば、人差し指や小指で小径ロールＰＲｓを取り出すのが容易になる。なお、図１０の例では、反対側支持ローラである支持ローラ１９１Ｂ（短幅ローラ）は装置前側から見て右寄り（Ｄ３側）に配置されているが、左寄り（Ｄ４側）に配置されていてもよい。この場合、空隙２０Ｂは支持ローラ１９２Ｂの右側（Ｄ３側）に形成される。
【００５２】
（実施形態４）
実施形態１では、短幅ローラはホルダ１７内で軸方向のいずれか一方に寄っているものとした。しかしながら、短幅ローラは、軸方向の双方の延長部に空隙が形成されるように、軸方向の中程に配置されていてもよい。図１１は、実施形態４の支持ローラ１９１Ｃ、１９２Ｃを示す図である。
【００５３】
支持ローラ１９１Ｃは、シャフト１９１ａと、ローラ部１９１ｂ、１９１ｃ、１９１ｄと、を備える長幅ローラである。支持ローラ１９２Ｃは、シャフト１９２ａ２と、ローラ部１９２ｂ、１９２ｃと、を備える短幅ローラである。支持ローラ１９１Ｃが進行側支持ローラであり、支持ローラ１９２Ｃが反対側支持ローラである。
【００５４】
短幅ローラ（支持ローラ１９２Ｃ）のシャフト１９１ａ２の幅Ｌ３は、軸方向の双方に人の指が挿入可能な空隙ができる長さである。例えば、幅Ｌ３は、長幅ローラの幅Ｌ１の半分である。そのため、短幅ローラの軸方向の延長部（シャフト非配置部分）は、双方とも人の指が挿入可能な空隙となっている。具体的には、支持ローラ１９２Ｃの右側（Ｄ３側）には空隙２０Ｃ１が形成されており、左側（Ｄ４側）には空隙２０Ｃ２が形成されている。空隙２０Ｃ１、２０Ｃ２の大きさは図６の空隙２０と同じであってもよい。
【００５５】
本実施形態によれば、短幅ローラの左右双方が空隙となっているので、ロール紙ＰＲを左手で交換する場合も右手で交換する場合も、どちらの場合も、小径ロールＰＲｓを落込部１８から取り出すのが容易になる。
【００５６】
（実施形態５）
実施形態４では、進行側支持ローラが長幅ローラ（支持ローラ１９１Ｃ）であり、反対側支持ローラ（支持ローラ１９２Ｃ）が短幅ローラであったが、進行側支持ローラが短幅ローラであってもよい。図１２は、支持ローラ１９１、１９２の変形例として支持ローラ１９１Ｄを示す図である。
【００５７】
支持ローラ１９１Ｄは、シャフト１９１ａ２と、ローラ部１９１ｂ、１９１ｃと、を備える短幅ローラである。支持ローラ１９２Ｄは、シャフト１９２ａ１と、ローラ部１９２ｂ、１９２ｃ、１９２ｄと、を備える長幅ローラである。支持ローラ１９１Ｄが進行側支持ローラであり、支持ローラ１９２Ｄが反対側支持ローラである。
【００５８】
短幅ローラ（支持ローラ１９２Ｄ）のシャフト１９２ａ２の幅Ｌ３は、軸方向の双方に人の指が挿入可能な空隙ができる長さである。そのため、短幅ローラの軸方向の延長部（シャフト非配置部分）は、双方とも人の指が挿入可能な空隙となっている。具体的には、支持ローラ１９２Ｄの右側（Ｄ３側）には空隙２０Ｄ１が形成されており、左側（Ｄ４側）には空隙２０Ｄ２が形成されている。空隙２０Ｄ１、２０Ｄ２の大きさは図６の空隙２０と同じであってもよい。
【００５９】
本実施形態によれば、短幅ローラの左右双方が空隙となっているので、ロール紙ＰＲを左手で交換する場合も右手で交換する場合も、どちらの場合も、小径ロールＰＲｓを落込部１８から取り出すのが容易になる。
【００６０】
（実施形態６）
実施形態１では、進行側支持ローラと反対側支持ローラの一方が長幅ローラで、他方が短幅ローラであった。しかしながら、進行側支持ローラ及び反対側支持ローラはいずれも短幅ローラであってもよい。図１３は、実施形態６の支持ローラ１９１Ｅ、１９２Ｅを示す図である。
【００６１】
支持ローラ１９１Ｅは、シャフト１９１ａ１と、ローラ部１９１ｂ、１９１ｃと、を備える短幅ローラである。支持ローラ１９２Ｅは、シャフト１９２ａと、ローラ部１９２ｂ、１９２ｃと、を備える短幅ローラである。支持ローラ１９１Ｅが進行側支持ローラであり、支持ローラ１９２Ｅが反対側支持ローラである。
【００６２】
進行側支持ローラは軸方向の一方に寄っており、反対側支持ローラは進行側支持ローラが寄った側とは反対側に寄っている。より具体的には、支持ローラ１９１Ｅは装置前側から見て右寄り（Ｄ３側）に配置されており、支持ローラ１９２Ｅは装置前側から見て左寄り（Ｄ４側）に配置されている。
【００６３】
支持ローラ１９１Ｅの左側（Ｄ４側）に形成されるシャフト非配置部分は空隙２０Ｅ１となっており、支持ローラ１９２Ｅの右側（Ｄ３側）に形成されるシャフト非配置部分は空隙２０Ｅ２となっている。空隙２０Ｅ１、２０Ｅ２には人の指が挿入可能である。空隙２０Ｅ１、２０Ｅ２の大きさは図６の空隙２０と同じであってもよい。なお、図１３の例では、シャフト１９１ａ１とシャフト１９２ａの幅は双方ともにＬ２となっているが、これらの幅は異なっていてもよい。
【００６４】
本実施形態によれば、回転進行方向Ｄ１側と反対方向Ｄ２側双方に空隙が形成されているので、親指で小径ロールＰＲｓを取り出すことも、人差し指もしくは小指で小径ロールＰＲｓを取り出すことも、どちらも可能となる。
【００６５】
（実施形態７）
実施形態６では、進行側支持ローラは右側（Ｄ３側）、反対側支持ローラは左側（Ｄ４側）に寄っていた。しかしながら、進行側支持ローラは左側（Ｄ４側）、反対側支持ローラは右側（Ｄ３側）に寄っていてもよい。図１４は、実施形態７の支持ローラ１９１Ｆ、１９２Ｆを示す図である。
【００６６】
支持ローラ１９１Ｆは、シャフト１９１ａ１と、ローラ部１９１ｂ、１９１ｃと、を備える短幅ローラである。支持ローラ１９２Ｆは、シャフト１９２ａと、ローラ部１９２ｂ、１９２ｃと、を備える短幅ローラである。支持ローラ１９１Ｆは装置前側から見て左寄り（Ｄ４側）に配置されており、支持ローラ１９２Ｆは装置前側から見て右寄り（Ｄ３側）に配置されている。
【００６７】
支持ローラ１９２Ｆの左側（Ｄ４側）に形成されるシャフト非配置部分は空隙２０Ｆ１となっており、支持ローラ１９２Ｆの右側（Ｄ３側）に形成されるシャフト非配置部分は空隙２０Ｆ２となっている。空隙２０Ｅ１、２０Ｅ２には人の指が挿入可能である。空隙２０Ｆ１、２０Ｆ２の大きさは図６の空隙２０と同じであってもよい。
【００６８】
なお、図１４の例では、シャフト１９１ａ１とシャフト１９２ａの幅は双方ともにＬ２となっているが、これらの幅は異なっていてもよい。
【００６９】
本実施形態によれば、回転進行方向Ｄ１側と反対方向Ｄ２側双方に空隙が形成されているので、親指で小径ロールＰＲｓを取り出すことも、人差し指もしくは小指で小径ロールＰＲｓを取り出すことも、どちらも可能となる。
【００７０】
（実施形態８）
実施形態１では、落込部１８の入口１８ａの反対方向Ｄ２には支持ローラが１つのみ配置されていた。しかしながら、入口１８ａの反対方向Ｄ２には複数の支持ローラが配置されていてもよい。図１５は、実施形態８の支持ローラ１９１Ｇ、１９２Ｇ１、１９２Ｇ２を示す図である。
【００７１】
支持ローラ１９１Ｇ（進行側支持ローラ）は、シャフト１９１ａと、ローラ部１９１ｂ、１９１ｃ、１９１ｄと、を備える長幅ローラである。支持ローラ１９２Ｇ１（第１の反対側支持ローラ）は、シャフト１９２ａ３と、ローラ部１９２ｂ、１９２ｃと、を備える短幅ローラである。支持ローラ１９２Ｇ２（第２の反対側支持ローラ）は、シャフト１９２ａ３と、ローラ部１９２ｂ、１９２ｃと、を備える短幅ローラである。支持ローラ１９２Ｇ１は装置前側から見て右寄り（Ｄ３側）に配置されており、支持ローラ１９２Ｇ２は装置前側から見て左寄り（Ｄ４側）に配置されている。
【００７２】
支持ローラ１９２Ｇ１、１９２Ｇ２は軸方向が一致するように一列に配置されている。支持ローラ１９２Ｇ１と支持ローラ１９２Ｇ２の間に形成されるシャフト非配置部分は空隙２０Ｇとなっている。空隙２０Ｇには人の指が挿入可能である。空隙２０Ｇはロール紙ＰＲの軸方向中央に位置していてもよい。空隙２０Ｇの大きさは図６の空隙２０と同じであってもよい。
【００７３】
なお、図１５の例では、支持ローラ１９２Ｇ１のシャフト１９２ａ３と支持ローラ１９２Ｇ２のシャフト１９２ａ３の幅は双方ともにＬ４となっているが、これらの幅は異なっていてもよい。
【００７４】
本実施形態によれば、空隙２０Ｇが中央に形成されているので、落込部１８に嵌まり込んだロール紙ＰＲ（小径ロールＰＲｓ）の取り出しが容易になる。特に、ロール紙ＰＲの軸方向中央に空隙２０Ｇを配置すれば、小径ロールＰＲｓの重心近くに指が位置することになるので、小径ロールＰＲｓを持ち上げたとしても小径ロールＰＲｓがあまり左右に傾かない。よって、小径ロールＰＲｓの取り出しがさらに容易になる。
【００７５】
（実施形態９）
実施形態８では、落込部１８の入口１８ａの反対方向Ｄ２に複数の支持ローラが配置されていた。しかしながら、複数の支持ローラは、入口１８ａの回転進行方向Ｄ１に配置されていてもよい。図１６は、実施形態９の支持ローラ１９１Ｈ１、１９１Ｈ２、１９２Ｈを示す図である。
【００７６】
支持ローラ１９１Ｈ１（第１の進行側支持ローラ）は、シャフト１９１ａ３と、ローラ部１９１ｂ、１９１ｃと、を備える短幅ローラである。支持ローラ１９１Ｈ２（第２の進行側支持ローラ）は、シャフト１９１ａ３と、ローラ部１９１ｂ、１９１ｃと、を備える短幅ローラである。支持ローラ１９２Ｈ（反対側支持ローラ）は、シャフト１９２ａ１と、ローラ部１９２ｂ、１９２ｃ、１９２ｄと、を備える長幅ローラである。支持ローラ１９１Ｈ１は装置前側から見て右寄り（Ｄ３側）に配置されており、支持ローラ１９１Ｈ２は装置前側から見て左寄り（Ｄ４側）に配置されている。
【００７７】
支持ローラ１９１Ｈ１、１９１Ｈ２は軸方向が一致するように一列に配置されている。支持ローラ１９１Ｈ１と支持ローラ１９１Ｈ２の間に形成されるシャフト非配置部分は空隙２０Ｈとなっている。空隙２０Ｈには人の指が挿入可能である。空隙２０Ｈはロール紙ＰＲの軸方向中央に位置していてもよい。空隙２０Ｈの大きさは図６の空隙２０と同じであってもよい。
【００７８】
なお、図１６の例では、支持ローラ１９１Ｈ１のシャフト１９１ａ３と支持ローラ１９１Ｈ２のシャフト１９１ａ３の幅は双方ともにＬ４となっているが、これらの幅は異なっていてもよい。
【００７９】
本実施形態によれば、空隙２０Ｈが中央に形成されているので、落込部１８に嵌まり込んだロール紙ＰＲ（小径ロールＰＲｓ）の取り出しが容易になる。特に、ロール紙ＰＲの軸方向中央に空隙２０Ｈを配置すれば、小径ロールＰＲｓの重心近くに指が位置することになるので、小径ロールＰＲｓを持ち上げたとしても小径ロールＰＲｓがあまり左右に傾かない。よって、小径ロールＰＲｓの取り出しがさらに容易になる。
【００８０】
（実施形態１０）
実施形態８、９では、回転進行方向Ｄ１と反対方向Ｄ２のいずれか一方に複数の支持ローラが配置されていた。しかしながら、複数の支持ローラは、回転進行方向Ｄ１と反対方向Ｄ２の双方に配置されていてもよい。図１７は、実施形態１０の支持ローラ１９１Ｉ１、１９１Ｉ２、１９２Ｉ１、１９２Ｉ２を示す図である。
【００８１】
支持ローラ１９１Ｉ１（第１の進行側支持ローラ）は、シャフト１９１ａ３と、ローラ部１９１ｂ、１９１ｃと、を備える短幅ローラである。支持ローラ１９１Ｉ２（第２の進行側支持ローラ）は、シャフト１９１ａ３と、ローラ部１９１ｂ、１９１ｃと、を備える短幅ローラである。支持ローラ１９２Ｉ１（第１の反対側支持ローラ）は、シャフト１９２ａ３と、ローラ部１９２ｂ、１９２ｃと、を備える短幅ローラである。支持ローラ１９２Ｉ２（第２の反対側支持ローラ）は、シャフト１９２ａ３と、ローラ部１９２ｂ、１９２ｃと、を備える短幅ローラである。
【００８２】
支持ローラ１９１Ｉ１、１９１Ｉ２は軸方向が一致するように一列に配置されている。支持ローラ１９１Ｉ１は装置前側から見て右寄り（Ｄ３側）に配置されており、支持ローラ１９１Ｉ２は装置前側から見て左寄り（Ｄ４側）に配置されている。また、支持ローラ１９２Ｉ１、１９２Ｉ２は軸方向が一致するように一列に配置されている。支持ローラ１９２Ｉ１は装置前側から見て右寄り（Ｄ３側）に配置されており、支持ローラ１９２Ｉ２は装置前側から見て左寄り（Ｄ４側）に配置されている。
【００８３】
支持ローラ１９１Ｉ１と支持ローラ１９１Ｉ２の間に形成されるシャフト非配置部分は空隙２０Ｉ１（第１のシャフト非配置部分）となっている。また、支持ローラ１９２Ｉ１と支持ローラ１９２Ｉ２の間に形成されるシャフト非配置部分は空隙２０Ｉ２（第２のシャフト非配置部分）となっている。空隙２０Ｉ１、２０Ｉ２には人の指が挿入可能である。２つのシャフト非配置部分（空隙２０Ｉ１と空隙２０Ｉ２）は、いずれもロール紙ＰＲの軸方向中央に配置されており、前後方向に対向した状態となっている。もちろん、空隙２０Ｉ１と空隙２０Ｉ２は対向していなくてもよい。空隙２０Ｉ１、Ｉ２の大きさは図６の空隙２０と同じであってもよい。
【００８４】
なお、図１７の例では、支持ローラ１９１Ｈ１のシャフト１９１ａ３、支持ローラ１９１Ｈ２のシャフト１９１ａ３、支持ローラ１９２Ｈ１のシャフト１９２ａ３、及び支持ローラ１９２Ｈ２のシャフト１９２ａ３の幅はいずれもＬ４となっているが、これらの幅は異なっていてもよい。
【００８５】
本実施形態によれば、入口１８ａの前後に空隙（空隙２０Ｉ１、２０Ｉ２）が形成されているので、落込部１８に嵌まり込んだ小径ロールＰＲｓを前後から掴むことができる。よって、小径ロールＰＲｓの取り出しが容易になる。特に、ロール紙ＰＲの軸方向中央に空隙２０Ｉ１、２０Ｉ２を配置すれば、小径ロールＰＲｓの重心近くに指が位置することになるので、小径ロールＰＲｓを持ち上げたとしても小径ロールＰＲｓがあまり左右に傾かない。よって、小径ロールＰＲｓの取り出しがさらに容易になる。
【００８６】
上述の各実施形態はそれぞれ一例を示したものであり、種々の変更及び応用が可能である。
【００８７】
例えば、実施形態１〜１０では、支持ローラは入口１８ａの回転進行方向Ｄ１に１つ或いは２つ、入口１８ａの反対方向Ｄ２に１つ或いは２つ配置されていた。しかしながら、支持ローラが配置される数は実施形態１〜１０の例に限定されない。２つより多くの支持ローラが入口１８ａの回転進行方向に配置されていてもよい。また、２つより多くの支持ローラが入口１８ａの反対方向に配置されていてもよい。この場合、複数の支持ローラの少なくとも１つは短幅ローラであってもよい。そして、短幅ローラの軸方向の延長部に形成されるシャフト非配置部分は、人の指が挿入可能な空隙となっていてもよい。また、１つの支持ローラに配置されるローラ部の数も任意に変更可能である。ローラ部の形状も任意に変更可能である。
【００８８】
また、上述の実施形態では、排出口２１は上向きに開口しているものとしたが、排出口２１は必ずしも上向きに開口していなくてもよい。例えば、排出口２１は水平方向に開口していてもよい。
【００８９】
また、上述の実施形態では、印刷部１４はサーマル方式のプリントユニットであるものとしたが、印刷部１４はサーマル方式のプリントユニットに限定されない。例えば、印刷部１４は、ドットインパクト方式、インクジェット方式、或いは電子写真方式のプリントユニットであってもよい。
【００９０】
また、上述の実施形態では、プリンタ１００は商品情報処理装置１に固定或いは内蔵されるものとしたが、プリンタ１００は商品情報処理装置１に外付できるよう構成されていてもよい。例えば、プリンタ１００はＵＳＢ（Universal Serial Bus）等の接続インタフェースを備え、ＵＳＢケーブル等の通信ケーブルで商品情報処理装置１に接続できるよう構成されていてもよい。
【００９１】
また、プリンタ１００は、ユーザインタフェースを備え、商品情報処理装置１から独立して単体で動作できるよう構成されていてもよい。また、プリンタ１００は、パーソナルコンピュータに接続され、パーソナルコンピュータの指示に基づいて動作するよう構成されていてもよい。
【００９２】
また、上述の実施形態では、商品情報処理装置１は、ＰＯＳ端末であるものとしたが、商品情報処理装置１はＰＯＳ端末に限定されない。例えば、商品情報処理装置１は、ネットワーク接続機能を持たない単体動作型のキャッシュレジスターであってもよい。
【００９３】
また、上述の実施形態では、プリンタ１００はＰＯＳ端末或いは単体動作型のキャッシュレジスターに設置されるものとしたが、プリンタ１００が設置される装置は、自動販売機等、他の装置であってもよい。
【００９４】
また、上述の実施形態では、プリンタ１００はレシートプリンタであるものとして説明したが、プリンタ１００は必ずしもレシートプリンタでなくてもよい。例えば、プリンタ１００はラベルプリンタであってもよい。このとき、プリンタ１００に格納されるロール紙ＰＲは、ラベル台紙が巻き回された、ラベル用のロール紙であってもよい。勿論、プリンタ１００は、レシートプリンタ、ラベルプリンタ以外のプリンタであってもよい。
【００９５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【００９６】
上述の実施形態は以下の付記のようにも記載され得る。もちろん、上述の実施形態は、以下の付記のみに限定されるものではない。
【００９７】
（付記１）
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトをそれぞれ有し、前記ホルダに格納された前記ロール紙を回転可能に支持する複数の支持ローラと、を備え、
前記複数の支持ローラは、前記落込部の入口を挟むように、少なくとも１つの支持ローラが前記入口の前記ロール紙の回転進行方向側に、他の少なくとも１つの支持ローラが前記入口の前記回転進行方向の反対方向側に配置されており、
前記複数の支持ローラの少なくとも１つは、そのシャフトの軸方向の幅が前記ロール紙の用紙幅より短い短幅ローラであり、
前記短幅ローラの軸方向の延長部にあるシャフト非配置部分に空隙が設けられている、
プリンタ。
【００９８】
（付記２）
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトを有し、前記ホルダに格納された前記ロール紙を回転可能に支持する進行側支持ローラと、
シャフトを有し、前記ホルダに格納された前記ロール紙を回転可能に支持する反対側支持ローラと、を備え、
前記進行側支持ローラ及び前記反対側支持ローラは、前記落込部の入口を挟むように、前記進行側支持ローラが前記入口の前記ロール紙の回転進行方向側に、前記反対側支持ローラが前記入口の前記回転進行方向の反対方向側に配置されており、
前記進行側支持ローラ及び前記反対側支持ローラの少なくとも一方は、そのシャフトの軸方向の幅が前記ロール紙の用紙幅より短い短幅ローラであり、
前記短幅ローラの軸方向の延長部にあるシャフト非配置部分に空隙が設けられている、
プリンタ。
【００９９】
（付記３）
前記進行側支持ローラ及び前記反対側支持ローラはいずれも前記短幅ローラである、
付記２に記載のプリンタ。
【０１００】
（付記４）
前記進行側支持ローラは軸方向の一方に寄っており、
前記反対側支持ローラは前記進行側支持ローラが寄った側とは反対側に寄っている、
付記３に記載のプリンタ。
【０１０１】
（付記５）
前記進行側支持ローラはそのシャフトの軸方向の幅が前記用紙幅と同じ或いは前記用紙幅より長い長幅ローラであり、
前記反対側支持ローラは前記短幅ローラである、
付記２に記載のプリンタ。
【０１０２】
（付記６）
前記進行側支持ローラは前記短幅ローラであり、
前記反対側支持ローラはその軸方向の幅が前記用紙幅と同じ或いは前記用紙幅より長い長幅ローラである、
付記２に記載のプリンタ。
【０１０３】
（付記７）
前記短幅ローラの軸方向の一方の延長部および他方の延長部の双方に空隙が設けられている、
付記５又は６に記載のプリンタ。
【０１０４】
（付記８）
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトをそれぞれ有し、前記落込部の入口の前記ロール紙の回転進行方向側に配置され、前記ホルダに格納された前記ロール紙を回転可能に支持する第１、第２の進行側支持ローラと、
シャフトを有し、前記ホルダに格納された前記ロール紙を回転可能に支持する反対側支持ローラと、を備え、
前記第１、第２の進行側支持ローラ及び前記反対側支持ローラは、前記落込部の入口を挟むように、前記第１、第２の進行側支持ローラが前記入口の前記ロール紙の回転進行方向側に、前記反対側支持ローラが前記入口の前記回転進行方向の反対方向側に配置されており、
前記第１、第２の進行側支持ローラは軸方向が一致するように一列に配置されており、前記第１、第２の進行側支持ローラの間に形成されるシャフト非配置部分に空隙が設けられている、
プリンタ。
【０１０５】
（付記９）
前記第１、第２の進行側支持ローラは、前記シャフト非配置部分が前記ロール紙の軸方向中央に位置するよう配置されている、
付記８に記載のプリンタ。
【０１０６】
（付記１０）
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトを有し、前記落込部の入口の前記ロール紙の回転進行方向側に配置され、前記ホルダに格納された前記ロール紙を回転可能に支持する進行側支持ローラと、
シャフトをそれぞれ有し、前記ホルダに格納された前記ロール紙を回転可能に支持する第１、第２の反対側支持ローラと、を備え、
前記進行側支持ローラ及び前記第１、第２の反対側支持ローラは、前記落込部の入口を挟むように、前記進行側支持ローラが前記入口の前記ロール紙の回転進行方向側に、前記第１、第２の反対側支持ローラが前記入口の前記回転進行方向の反対方向側に配置されており、
前記第１、第２の反対側支持ローラは軸方向が一致するように一列に配置されており、前記第１、第２の反対側支持ローラの間に形成されるシャフト非配置部分に空隙が設けられている、
プリンタ。
【０１０７】
（付記１１）
前記第１、第２の反対側支持ローラは、前記シャフト非配置部分が前記ロール紙の軸方向中央に位置するよう配置されている、
付記１０に記載のプリンタ。
【０１０８】
（付記１２）
ロール紙から取り出された用紙に印刷を行うプリンタであって、
前記ロール紙を格納するホルダと、
前記ホルダの底部に位置し、前記ホルダに格納された前記ロール紙が予め設定された径より小さくなった場合に、該ロール紙が落下して嵌まり込む落込部と、
シャフトをそれぞれ有し、前記落込部の入口の前記ロール紙の回転進行方向側に配置され、前記ホルダに格納された前記ロール紙を回転可能に支持する第１、第２の進行側支持ローラと、
シャフトをそれぞれ有し、前記ホルダに格納された前記ロール紙を回転可能に支持する第１、第２の反対側支持ローラと、を備え、
前記第１、第２の進行側支持ローラ及び前記第１、第２の反対側支持ローラは、前記落込部の入口を挟むように、前記第１、第２の進行側支持ローラが前記入口の前記ロール紙の回転進行方向側に、前記第１、第２の反対側支持ローラが前記入口の前記回転進行方向の反対方向側に配置されており、
前記第１、第２の進行側支持ローラは軸方向が一致するように一列に配置されており、前記第１、第２の進行側支持ローラの間に形成される第１のシャフト非配置部分に空隙が設けられており、
前記第１、第２の反対側支持ローラは軸方向が一致するように一列に配置されており、前記第１、第２の反対側支持ローラの間に形成される第２のシャフト非配置部分に空隙が設けられている、
プリンタ。
【０１０９】
（付記１３）
前記第１、第２の進行側支持ローラ及び前記第１、第２の反対側支持ローラは、前記第１のシャフト非配置部分と前記第２のシャフト非配置部分が対向するように配置されている、
付記１２に記載のプリンタ。
【０１１０】
（付記１４）
前記第１、第２の進行側支持ローラは、前記第１のシャフト非配置部分が前記ロール紙の軸方向中央に位置するよう配置されており、
前記第１、第２の反対側支持ローラは、前記第２のシャフト非配置部分が前記ロール紙の軸方向中央に位置するよう配置されている、
付記１３に記載のプリンタ。
【０１１１】
（付記１５）
前記落込部に嵌まり込んだ前記ロール紙を検出する検出手段を備える、
付記１乃至１４のいずれか１つに記載のプリンタ。
【０１１２】
（付記１６）
付記１乃至１５のいずれか１つに記載のプリンタを備える、
商品情報処理装置。
【符号の説明】
【０１１３】
１…商品情報処理装置
１００…プリンタ
１１…制御部
１２…通信インタフェース
１３…搬送部
１４…印刷部
１４１…サーマルヘッド
１４２…プラテンローラ
１５…カット部
１６…検出部
１７…ホルダ
１８…落込部
１８ａ…入口
１９１〜１９１Ｉ２…支持ローラ（進行側支持ローラ）
１９１ａ〜１９１ａ３…シャフト
１９１ｂ、１９１ｃ、１９１ｄ…ローラ部
１９２〜１９２Ｉ２…支持ローラ（反対側支持ローラ）
１９２ａ、１９２ａ１〜１９２ａ３…シャフト
１９２ｂ、１９２ｃ、１９２ｄ…ローラ部
２０〜２０Ｉ２…空隙
２１…排出口
２２…蓋
Ｄ１…回転進行方向
Ｄ２…反対方向
ＰＲ…ロール紙
Ｗ…用紙幅
【図１】
0006769746.tif 000002
【図２】
0006769746.tif 000003
【図３】
0006769746.tif 000004
【図４】
0006769746.tif 000005
【図５】
0006769746.tif 000006
【図６】
0006769746.tif 000007
【図７】
0006769746.tif 000008
【図８】
0006769746.tif 000009
【図９】
0006769746.tif 000010
【図１０】
0006769746.tif 000011
【図１１】
0006769746.tif 000012
【図１２】
0006769746.tif 000013
【図１３】
0006769746.tif 000014
【図１４】
0006769746.tif 000015
【図１５】
0006769746.tif 000016
【図１６】
0006769746.tif 000017
【図１７】
0006769746.tif 000018